【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
ネットワークを介して管理装置と通信可能な情報処理装置であって、
自身で保持する、画像形成装置での画像形成処理に対応して変化するカウントに係るデータを含む送信データを前記管理装置に送信する送信手段と、
カウントに係るデータの種類と、順序と、をパターン化して記憶するパターン記憶手段と、
前記送信手段において送信されるカウントに係るデータのパターンが、前記パターン記憶手段に記憶されているカウントに係るデータのパターンと一致するか否かを判定する判定手段と、
前記判定手段において一致すると判定した場合、前記送信手段において送信する前記送信データのデータ量を削減する送信データ削減手段と、
を有することを特徴とする情報処理装置。
【請求項２】
前記判定手段において一致しないと判定した場合、前記送信手段において送信されるカウントに係るデータのパターンを新しいパターンとして前記パターン記憶手段に記憶する更新手段を更に有することを特徴とする請求項１に記載の情報処理装置。
【請求項３】
前記送信手段において送信した情報に関する前記管理装置からの応答に応じて、前記管理装置の受信状態を記憶手段に記憶する受信状態記憶手段と、
前記記憶手段に記憶されている前記管理装置の受信状態に応じて、前記送信データ削減手段における送信データの削減を行うか否かを判断する判断手段と、を更に有することを特徴とする請求項１又は２に記載の情報処理装置。
【請求項４】
前記送信データ削減手段は、前記管理装置において管理されているデータは前記送信データに含めて送信しないようにすることによって、前記送信データのデータ量を削減することを特徴とする請求項１乃至３の何れか１項に記載の情報処理装置。
【請求項５】
前記パターン記憶手段は、カウンタに係るデータの種類と、順序と、に基づくハッシュ値を記憶し、前記判定手段は、前記ハッシュ値により、前記カウントに係るデータの種類と、順序と、をパターン化して記憶し、前記判定手段は、前記ハッシュ値に基づき判定を行うことを特徴とする請求項１乃至４の何れか１項に記載の情報処理装置。
【請求項６】
前記情報処理装置は印刷エンジンを有する前記画像形成装置であることを特徴とする請求項１乃至５の何れか１項に記載の情報処理装置。
【請求項７】
前記カウントに係るデータとは、課金カウンタ及び部品カウンタの何れかを含むこと特徴とする請求項１乃至６の何れか１項に記載の情報処理装置。
【請求項８】
ネットワークを介して情報処理装置と通信可能な管理装置であって、
前記情報処理装置が送信する、画像形成装置での画像形成処理に対応して変化するカウントに係るデータを含む情報を受信する受信手段と、
カウントに係るデータの種類と、順序と、をパターン化して記憶するパターン記憶手段と、
前記受信手段において受信された前記カウントに係るデータのパターンが、前記パターン記憶手段に記憶されているカウントに係るデータのパターンと一致するか否かを判定する判定手段と、
前記判定手段において一致すると判定した場合、前記パターンに応じた処理を実行する処理実行手段と、
を有することを特徴とする管理装置。
【請求項９】
少なくとも１つ以上の情報処理装置と、前記情報処理装置を管理する管理装置と、を含む監視システムであって、
前記情報処理装置は、
自身で保持する、画像形成装置での画像形成処理に対応して変化するカウントに係るデータを含む送信データを前記管理装置に送信する送信手段と、
カウントに係るデータの種類と、順序と、をパターン化して記憶するパターン記憶手段と、
前記送信手段において送信されるカウントに係るデータのパターンが、前記パターン記憶手段に記憶されているカウントに係るデータのパターンと一致するか否かを判定する判定手段と、
前記判定手段において一致すると判定した場合、前記送信手段において送信する前記送信データのデータ量を削減する送信データ削減手段と、を有し、
前記管理装置は、
前記情報処理装置が送信するカウントに係るデータを含む情報を受信する受信手段と、
カウントに係るデータの種類と、順序と、をパターン化して記憶するパターン記憶手段と、
前記受信手段において受信された前記カウントに係るデータのパターンが、前記パターン記憶手段に記憶されているカウントに係るデータのパターンと一致するか否かを判定する判定手段と、
前記判定手段において一致すると判定した場合、前記パターンに応じた処理を実行する処理実行手段と、
を有することを特徴とする監視システム。
【請求項１０】
ネットワークを介して管理装置と通信可能な情報処理装置が実行する通信方法であって、
自身で保持する、画像形成装置での画像形成処理に対応して変化するカウントに係るデータを含む送信データを前記管理装置に送信する送信ステップと、
前記送信ステップにおいて送信されるカウントに係るデータのパターンが、カウントに係るデータの種類と、順序と、をパターン化して記憶するパターン記憶手段に記憶されているカウントに係るデータのパターンと一致するか否かを判定する判定ステップと、
前記判定ステップにおいて一致すると判定した場合、前記送信ステップにおいて送信する前記送信データのデータ量を削減する送信データ削減ステップと、
を有することを特徴とする通信方法。
【請求項１１】
ネットワークを介して情報処理装置と通信可能な管理装置が実行する通信方法であって、
前記情報処理装置が送信する、画像形成装置での画像形成処理に対応して変化するカウントに係るデータを含む情報を受信する受信ステップと、
前記受信ステップにおいて受信された前記カウントに係るデータのパターンが、カウントに係るデータの種類と、順序と、をパターン化して記憶するパターン記憶手段に記憶されているカウントに係るデータのパターンと一致するか否かを判定する判定ステップと、
前記判定ステップにおいて一致すると判定した場合、前記パターンに応じた処理を実行する処理実行ステップと、
を有することを特徴とする通信方法。
【請求項１２】
請求項１０又は１１に記載の通信方法の各ステップをコンピュータに実行させることを特徴とするプログラム。
【手続補正２】
【補正対象書類名】明細書
【補正対象項目名】０００６
【補正方法】変更
【補正の内容】
【０００６】
本発明は、ネットワークを介して管理装置と通信可能な情報処理装置であって、自身で保持する、画像形成装置での画像形成処理に対応して変化するカウントに係るデータを含む送信データを前記管理装置に送信する送信手段と、カウントに係るデータの種類と、順序と、をパターン化して記憶するパターン記憶手段と、前記送信手段において送信されるカウントに係るデータのパターンが、前記パターン記憶手段に記憶されているカウントに係るデータのパターンと一致するか否かを判定する判定手段と、前記判定手段において一致すると判定した場合、前記送信手段において送信する前記送信データのデータ量を削減する送信データ削減手段と、を有することを特徴とする。
【手続補正３】
【補正対象書類名】明細書
【補正対象項目名】０００９
【補正方法】変更
【補正の内容】
【０００９】
また、本発明は、ネットワークを介して情報処理装置と通信可能な管理装置であって、前記情報処理装置が送信する、画像形成装置での画像形成処理に対応して変化するカウントに係るデータを含む情報を受信する受信手段と、カウントに係るデータの種類と、順序と、をパターン化して記憶するパターン記憶手段と、前記受信手段において受信された前記カウントに係るデータのパターンが、前記パターン記憶手段に記憶されているカウントに係るデータのパターンと一致するか否かを判定する判定手段と、前記判定手段において一致すると判定した場合、前記パターンに応じた処理を実行する処理実行手段と、を有することを特徴とする。